(57)【特許請求の範囲】
【請求項１】
試料の観察状態を変更する複数の被調整部材および前記複数の被調整部材を電動制御する顕微鏡制御部を備えた顕微鏡と、
前記試料の光学像を撮像して画像を生成する撮像手段と、
前記撮像手段により生成される画像を表示し、前記表示画像に基づき表示条件を変更できる表示手段と、
前記表示手段により表示すべき画像の前記表示条件に応じて、前記複数の被調整部材のうち制御すべき被調整部材の制御内容と前記撮像手段の撮像条件とを関連付けて決定し、決定した内容に従って前記被調整部材と前記撮像手段とを互いに関連させて制御し、前記撮像手段からの画像を画像処理して前記表示手段に表示する制御手段と
を備えたことを特徴とする顕微鏡システム。
【請求項２】
請求項１に記載の顕微鏡システムにおいて、
前記表示手段の表示画面上において前記画像の表示条件を設定できる表示条件設定手段を備え、
前記制御手段は、前記撮像手段により生成される画像を前記表示手段に表示させる画像処理手段と、前記複数の被調整部材の制御内容を示す信号を前記画像処理手段に伝達するインタフェース部とを備えた
ことを特徴とする顕微鏡システム。
【請求項３】
請求項２に記載の顕微鏡システムにおいて、
前記制御手段は、前記試料の観察倍率を変更すると、まず前記表示条件設定手段により設定された画像の明るさ条件に応じて前記撮像手段が適正露出となるように、前記複数の被調整部材のうち制御すべき被調整部材を制御し、次に前記撮像手段の撮像条件を決定する
ことを特徴とする顕微鏡システム。
【請求項４】
請求項２または請求項３の何れか１項に記載の顕微鏡システムにおいて、
前記制御手段は、前記表示条件設定手段により明るさ以外の画像の表示条件が設定された場合、前記表示手段に既に表示されている画像の明るさが保たれるように、前記制御すべき被調整部材の制御内容と前記撮像条件とを決定する
ことを特徴とする顕微鏡システム。
【請求項５】
請求項１に記載の顕微鏡システムにおいて、
検鏡方法の設定に係るユーザ操作を受け付ける検鏡方法設定手段を備え、
前記制御手段は、前記表示手段に既に表示されている画像の表示条件が保たれるように、前記制御すべき被調整部材の制御内容と前記撮像条件とを、前記検鏡方法設定手段により設定された検鏡方法に基づいて決定する
ことを特徴とする顕微鏡システム。
【請求項６】
請求項５に記載の顕微鏡システムにおいて、
前記制御手段は、前記表示手段に表示されている画像の明るさが最適に保たれるように、前記制御すべき被調整部材の制御内容と前記撮像条件とを、前記検鏡方法設定手段により設定された検鏡方法に基づいて決定する
ことを特徴とする顕微鏡システム。
【発明の詳細な説明】
【０００１】
【発明の属する技術分野】
本発明は、試料の画像を表示する機能を備えた顕微鏡システムに関する。
【０００２】
【従来の技術】
従来より、試料を載置するステージ、対物レンズおよび絞りなどの被調整部材が電動化された顕微鏡と、顕微鏡による観察像を撮像する電子カメラなどの撮像装置と、このような撮像により得られる試料の画像を表示するモニタなどの表示装置とを備えた顕微鏡システムが知られている。
【０００３】
このような顕微鏡システムにおいて、顕微鏡の制御は、それぞれの被調整部材に対するユーザの指示に応じて行われていた。例えば、倍率を変更する場合、ユーザは、まずレボルバを切り換え、好みの倍率が得られない場合は中間変倍機構を調整する。
従来の電動化された顕微鏡システムには、倍率変更に伴う明るさやコントラストの変化に対応すべく顕微鏡の各被調整部材（開口絞り、ＮＤフィルタ、ランプなど）を予め記憶されている状態（設計値）へと制御する機能を備えたものがある。しかし、このような顕微鏡システムにおいて、顕微鏡では、ユーザが顕微鏡の接眼レンズを介して試料を観察することを目的として、接眼部で最適化された光量となるように被調整部材の制御が行われ、撮像装置では、その制御された光量の試料の像を撮像するための制御が行われていた。すなわち、顕微鏡に対する制御と撮像装置に対する制御とが独立して行われていた。
【０００４】
【発明が解決しようとする課題】
このような顕微鏡システムでは、顕微鏡の接眼部での試料像が最適な明るさに制御されていても、撮像装置側では自動露出制御範囲外となり、表示装置を介して試料を観察する場合、表示装置に表示される試料の画像が明るすぎたり、暗すぎたりする場合があり、ユーザはこのような場合、再度、顕微鏡と撮像装置とのそれぞれに対して微調整を行わなければならなかった。同様に、試料像のコントラストが低下した場合も両者の微調整が必要であった。
【０００５】
また、従来の顕微鏡システムでは、発光量が限定される蛍光観察(主に落射蛍光観察)を効率良く行うために、ＤＩＣ（微分干渉コントラスト）観察で試料の構図や大きさを決定してから蛍光観察を行う場合がある。このような場合、まず、ＤＩＣ観察を行うための被調整部材が顕微鏡装置内で設定され、その後、蛍光観察を行うための被調整部材が顕微鏡装置内で設定されるが、ＤＩＣ観察から蛍光観察への切り換えにより、表示画面に表示される画像の明るさやコントラストが急激に変化してしまうことがある。そのため、ユーザが、画像を最適な状態にするように明るさの調整を行ったり、コントラストの調整を行っている間に発光量が減少してしまい、観察を効率良く行うことができなかった。
【０００６】
本発明は、以上説明したような問題に鑑みてなされたものであり、ユーザが煩雑な作業を行うことなく、表示装置に表示される試料の画像を最適な状態に制御すること（以下、「画像の最適化」と称する）ができる顕微鏡システムを提供することを目的とする。
【０００７】
【課題を解決するための手段】
請求項１に記載の顕微鏡システムは、試料の観察状態を変更する複数の被調整部材および前記複数の被調整部材を電動制御する顕微鏡制御部を備えた顕微鏡と、前記試料の光学像を撮像して画像を生成する撮像手段と、前記撮像手段により生成される画像を表示し、前記表示画像に基づき表示条件を変更できる表示手段と、前記表示手段により表示すべき画像の前記表示条件に応じて、前記複数の被調整部材のうち制御すべき被調整部材の制御内容と前記撮像手段の撮像条件とを関連付けて決定し、決定した内容に従って前記被調整部材と前記撮像手段とを互いに関連させて制御し、前記撮像手段からの画像を画像処理して前記表示手段に表示する制御手段とを備えたことを特徴とする。
【０００８】
請求項２に記載の顕微鏡システムは、請求項１に記載の顕微鏡システムにおいて、前記表示手段の表示画面上において前記画像の表示条件を設定できる表示条件設定手段を備え、前記制御手段は、前記撮像手段により生成される画像を前記表示手段に表示させる画像処理手段と、前記複数の被調整部材の制御内容を示す信号を前記画像処理手段に伝達するインタフェース部とを備えたことを特徴とする。
【０００９】
請求項３に記載の顕微鏡システムは、請求項２に記載の顕微鏡システムにおいて、前記制御手段は、前記試料の観察倍率を変更すると、まず前記表示条件設定手段により設定された画像の明るさ条件に応じて前記撮像手段が適正露出となるように、前記複数の被調整部材のうち制御すべき被調整部材を制御し、次に前記撮像手段の撮像条件を決定することを特徴とする。
【００１０】
請求項４に記載の顕微鏡システムは、請求項２または請求項３の何れか１項に記載の顕微鏡システムにおいて、前記制御手段は、前記表示条件設定手段により明るさ以外の画像の表示条件が設定された場合、前記表示手段に既に表示されている画像の明るさが保たれるように、前記制御すべき被調整部材の制御内容と前記撮像条件とを決定することを特徴とする。
【００１１】
請求項５に記載の顕微鏡システムは、請求項１に記載の顕微鏡システムにおいて、検鏡方法の設定に係るユーザ操作を受け付ける検鏡方法設定手段を備え、前記制御手段は、前記表示手段に既に表示されている画像の表示条件が保たれるように、前記制御すべき被調整部材の制御内容と前記撮像条件とを、前記検鏡方法設定手段により設定された検鏡方法に基づいて決定することを特徴とする。
請求項６に記載の顕微鏡システムは、請求項５に記載の顕微鏡システムにおいて、前記制御手段は、前記表示手段に表示されている画像の明るさが最適に保たれるように、前記制御すべき被調整部材の制御内容と前記撮像条件とを、前記検鏡方法設定手段により設定された検鏡方法に基づいて決定することを特徴とする。
【００１２】
【発明の実施の形態】
以下、本発明の実施形態について図面を用いて詳細に説明する。
図１は、本発明の実施形態における顕微鏡システムの構成を示すブロック図である。
図１に示すように、顕微鏡システム１は、電子カメラ２、顕微鏡１０および画像処理装置３０から構成され、光学的に像を観察する接眼部を備えていない。
【００１３】
顕微鏡１０は顕微鏡制御部１１を備え、顕微鏡制御部１１には各被調整部材が相互に接続されている。このような被調整部材として図１では、電動ＸＹステージ１２、電動Ｚ上下動１３、電動レボルバ１４、電動中間変倍機構１５、電動視野絞り１６、電動開口絞り１７、電動ＮＤフィルタ１８およびランプ１９を示している。
【００１４】
また、顕微鏡１０は、検鏡方法に応じて使用される被調整部材（図示省略）から成る電動検鏡方法切換部２０を備え、電動検鏡方法切換部２０と顕微鏡制御部１１とは相互に接続されている。
画像処理装置３０は、画像処理装置制御部３１、マウス３２、キーボード３３、モニタ３４、インタフェース部３５および表示画像生成部３６を備えている。画像処理装置制御部３１は、インタフェース部３５を介して、マウス３２およびキーボード３３に接続され、マウス３２およびキーボード３３の状態を示す信号をインタフェース部３５を介して取得する。
【００１５】
また、画像処理装置制御部３１は、表示画像生成部３６に接続される。表示画像生成部３６は、液晶表示装置などのモニタ３４に接続され、画像処理装置制御部３１の指示に応じて、モニタ３４に表示すべき画像を生成して、モニタ３４に表示する。
さらに、画像処理装置制御部３１は、インタフェース部３５を介して、電子カメラ２と相互に接続され、電子カメラ２に対して撮像条件などを通知し、電子カメラ２により得られる試料の画像データを取得し、表示画像生成部３６に出力すると共に、不図示の記録部（ハードディスク、コンパクトフラッシュ（登録商標）など）に記録する。
【００１６】
液晶表示装置などのモニタ３４の表示条件と画像処理装置制御部３１での制御条件（撮像条件を含む）とはマッチングがとれており、ユーザが見ているモニタ３４で表示された画像と、記録部に記録された画像データとは一致している。
また、画像処理装置制御部３１は、インタフェース部３５を介して、顕微鏡１０内の顕微鏡制御部１１と相互に接続され、顕微鏡制御部１１に対して各被調整部材の制御内容を通知し、顕微鏡制御部１１から供給される各被調整部材の状態を示すデータを取得する。
【００１７】
以上説明したような構成の顕微鏡システム１において、ユーザ操作は、モニタ３４に表示されるＧＵＩ（Graphical User Interface）の表示画面に基づくマウス３２やキーボード３３の操作によって実現される。
ＧＵＩの表示画面は、画像処理装置制御部３１の指示に応じて表示画像生成部３６で生成される。表示画像生成部３６では、電子カメラ２により得られる試料の画像データに所定のアイコンを重ね合わせて、ＧＵＩの表示画面を生成する。
【００１８】
図２は、モニタ３４に表示されるＧＵＩの表示画面の例を示す図である。
図２において、モニタ３４の画像表示領域４０には、試料の画像が表示されており、画像表示領域４０上に各種アイコンが配置されている。
画像表示領域４０の右側の領域に配置されているアイコン４１〜４７は、画像の表示条件の設定に係るユーザ操作を受け付けるためのアイコンである。本実施形態では、表示条件として、大きさ、コントラスト、明るさを用い、アイコン４１および４２の操作により大きさの設定が行われ、アイコン４３およびアイコン４４の操作によりコントラストの設定が行われ、アイコン４５およびアイコン４６の操作により明るさの設定が行われる。マクロ観察用アイコン４７は、試料全体の画像を表示させる際に操作される。
【００１９】
また、画像表示領域４０の下側の領域に配置されているアイコン６０〜６４は、検鏡方法の設定に係るユーザ操作を受け付けるためのアイコンである。アイコン６０の操作により明視野観察の設定が行われ、アイコン６１の操作により暗視野観察の設定が行われ、アイコン６２の操作により蛍光観察の設定が行われ、アイコン６３の操作により位相差観察の設定が行われ、アイコン６４の操作によりＤＩＣ観察の設定が行われる。
【００２０】
以上説明したアイコンの操作のほかに、ＧＵＩの表示画面では、マウス３２などを介して、画像表示領域４０上の任意の領域（図２では、点線で囲まれる領域に相当する）を拡大表示させるための領域指定の操作や、画像表示領域４０上の任意の位置を視野の中心に移動させるさせるための視野中心指定の操作が行われる。
【００２１】
図３は、本発明の実施形態における顕微鏡システム１の動作を示すフローチャートであり、特に、図２に示したＧＵＩの表示画面に対する操作が行われた際の画像処理装置制御部３１の動作を示している。このような動作は、画像処理装置制御部３１内の不図示のメモリに予め記録されている制御プログラムに応じて行われるものとする。
【００２２】
以下、図３を用いて画像処理装置制御部３１の動作を説明する。
まず、ステップＳ１において、画像処理装置制御部３１は、マウス３２やキーボード３３を介し、ユーザによるＧＵＩの表示画面に対する操作が行われた否かを判定する。そして、このような操作が行われなかった場合、画像処理装置制御部３１は、ステップＳ１を繰り返し、操作が行われるまで待機する。
【００２３】
ステップＳ２において、画像処理装置制御部３１は、ＧＵＩの表示画面に対する操作に応じて、予め内部に記録されているルックアップテーブル（以下、「ＬＵＴ」と称する）と、既に表示画面に表示されている画像の表示条件とに基づき、顕微鏡１０の制御内容（制御すべき被調整部材および制御すべき被調整部材の制御量など）と、電子カメラ２の撮像条件とを関連付けて決定する。
【００２４】
なお、既に表示画面に表示されている画像の表示条件としては、大きさ、コントラスト、明るさなどがあり、このような表示条件は、モニタ３４上の座標位置データ、輝度情報、高周波成分情報などに基づくものとする。
図４は、ユーザにより表示条件の設定に係る操作が行われた場合に用いられるＬＵＴの例である。
【００２５】
画像処理装置制御部３１は、ユーザにより表示条件の設定に係る操作（アイコン４１〜４７に対する操作など）が行われると、操作内容に応じて、図４に示すＬＵＴと、既に表示画面に表示されている画像の表示条件とに基づき、○印の記されている顕微鏡１０の制御内容と電子カメラ２の撮像条件とを関連付けて決定する。このような決定の際、既に表示画面に表示されている画像の表示条件が変動する可能性がある場合、さらに、△印の記されている顕微鏡１０の制御内容と電子カメラ２の撮像条件とを関連付けて決定する。
【００２６】
図５は、ユーザにより検鏡方法の設定に係る操作が行われた場合に用いられるＬＵＴの例である。
画像処理装置制御部３１は、ユーザにより検鏡方法の設定に係る操作（アイコン６０〜６４に対する操作など）が行われると、検鏡方法に応じて、図５に示すＬＵＴと、既に表示画面に表示されている画像の表示条件とに基づき、○印の記されている顕微鏡１０の制御内容を決定する。このような決定の際、既に表示画面に表示されている画像の表示条件が変動する可能性がある場合、さらに、△印の記されている顕微鏡１０の制御内容を決定する。
【００２７】
なお、図５には、電動検鏡方法切換部２０の被調整部材として、電動フィルタブロック、電動エピシャッタ、電動アナライザ、電動ポラライザおよび電動ユニバーサルコンデンサが示されているが、このような構成は公知技術であるので詳細な説明および図示を省略する。また、電子カメラ２の撮像条件については、既に表示画面に表示されている画像の表示条件を保つように決定されるものとする。
【００２８】
ステップＳ３において、画像処理装置制御部３１は、ステップＳ２において決定した内容に従って顕微鏡１０および電子カメラ２に対する制御を行う。すなわち、画像処理装置制御部３１は、ステップＳ２において決定した顕微鏡１０の制御内容を顕微鏡制御部１１に通知して制御するとともに、電子カメラ２の撮像条件を電子カメラ２に通知して制御する。
【００２９】
したがって、本実施形態の顕微鏡システム１によれば、ユーザが、例えば、大きさ設定用のアイコン４１および４２を操作すると、図４のＬＵＴにおいて、○印が記されている顕微鏡１０の被調整部材の制御内容（電動レボルバ１４、電動中間変倍機構１５）および電子カメラ２の電子ズームの撮像条件が関連付けて決定され、制御される。
【００３０】
上記のように大きさ設定用アイコン４１，４２の操作により、試料の観察倍率が変更されると、大きさ以外の撮像条件が変動する可能性がある。その場合には、従来の電動化された顕微鏡システムのように接眼部に合わせて各種被調整部材（ＮＤフィルタ、各種絞りなど）を調整した後に電子カメラの撮像条件を決定するのでは既に述べたように自動制御範囲外となる問題があるので、顕微鏡１０の被調整部材と電子カメラ２の撮像条件とを図４に示すように適宜、調整することになる。
【００３１】
例えば、△印が記されている顕微鏡１０の電動Ｚ上下動１３、電動視野絞り１６、電動開口絞り１７、電動ＮＤフィルタ１８、ランプ１９および電子カメラ２のＣＣＤ露光時間、ゲインコントロールも関連付けて制御される。
つまり、本実施形態の顕微鏡システム１によれば、ユーザが、大きさ設定用のアイコン４１，４２を操作するだけで、大きさを変更するとともに、大きさの変更後に大きさ以外の表示条件（例えば、明るさ）が保たれるように顕微鏡１０の制御内容と電子カメラ２の撮像条件とが決定されることになる。
【００３２】
具体的には、表示条件の明るさ（露出条件）を決定する場合に、まず顕微鏡１０の電動開口絞り１７や電動ＮＤフィルタ１８により露出がアンダー気味になるように設定しておき、電子カメラ２のＣＣＤ露出時間（電子シャッタ）やゲインコントロールによって適正露出となるように上記の撮像条件を決定する。このように決定すれば、電子カメラ２側での露出制御範囲が広がり、撮像される試料側の明るさ（露出）変化に対して十分に対応でき、適正露出を得ることができる。
また、それでも電子カメラ２側において適正露出制御範囲外となっている場合には、顕微鏡１０の各種被調整部材が再調整され、電子カメラ２側で適正露出を得ることができる。すなわち、顕微鏡１０の各種被調整部材の制御内容と電子カメラ２の撮像条件とを互いに関連させ、補い合うように制御する。
【００３３】
そのため、ユーザは、顕微鏡１０の被調整部材のそれぞれに対して制御を行う必要や、電子カメラ２の撮像条件を一つずつ設定する必要が無くなり、表示画面に表示されている画像をどのようにしたいかというイメージに基づいて指示を行うことが可能になる。その結果、ユーザは顕微鏡１０および電子カメラ２のどの部分を制御すべきかを意識する必要も無くなり、一般的な顕微鏡および電子カメラについての知識や経験が乏しい初心者などのユーザでも手軽に利用することが可能になる。
【００３４】
同様に、図２に示されるコントラスト設定用アイコン４３，４４を操作すると、図４に示される顕微鏡１０の被調整部材の制御内容（電動開口絞り１７、電動ＮＤフィルタ１８、ランプ１９）と電子カメラ２の撮像条件（ＣＣＤ露光時間、ゲインコントロール、カラーバランス、輪郭強調）とが関連付けて制御される。具体的には、図４に示されるように、まず○印の付いている顕微鏡１０の電動開口絞り１７と電子カメラ２の輪郭強調の撮像条件とが決定され、所定のコントラストが得られれば終了するが、更に微調整が必要な場合には△印の付いている顕微鏡１０の被調整部材と電子カメラ２の撮像条件とが補い合う制御がなされ、適宜、調整されることになる。
【００３５】
その他、図４に示されている明るさ設定用アイコン（図２の４５，４６）、マクロ画像用アイコン（図２の４７）、領域指定操作や視野中心指定操作をすると、上述したのと同様に、○印の付いているものから優先的に制御され、補助的に△印の付いたものが制御されることになる。
また、ユーザが、例えば、位相差観察設定用のアイコン６３を操作すると、図５のＬＵＴにおいて、○印が記されている顕微鏡１０の電動視野絞り１６、電動開口絞り１７、電動ＮＤフィルタ１８、電動フィルタブロック、電動エピシャッタ、電動アナライザ、電動ポラライザおよび電動ユニバーサルコンデンサが関連付けて制御され、検鏡方法の変更に伴って明るさなどの表示条件が変動する可能性がある場合、△印が記されているランプ１９も制御されるとともに、電子カメラ２の撮像条件も関連付けて決定され、制御される。
【００３６】
つまり、本実施形態の顕微鏡システム１によれば、ユーザが、検鏡方法の設定に係るアイコン（図２の６０〜６４）を操作するだけで、検鏡方法を切り換えるとともに、検鏡方法の変更後に画像の表示条件が保たれるように、顕微鏡１０の制御すべき被調整部材と電子カメラ２の撮像条件とを関連付けて決定する。
【００３７】
例えば、蛍光観察の場合に蛍光の退色を防ぐために、ＤＩＣ観察において焦点合わせや検査領域を決定し、その後に蛍光観察で検査するので、ＤＩＣ観察から蛍光観察への検鏡法切換えは、生物顕微鏡などでは良く行われる。この場合、ＤＩＣ観察を設定すると（図２の６４）、図５に示される顕微鏡１０の通常被調整部材の制御内容（電動視野絞り１６を開放絞りに設定、電動開口絞り１７を開放絞りに設定、電動ＮＤフィルタ１８を減光率の最低なものに設定して光量最大に設定、ランプ１９は任意調整）と検鏡方法切換え用の被調整部材（電動フィルタブロックを中間位置に設定、電動エピシャッタを閉に設定、電動アナライザを光路中に設定、電動ポラライザを光路中に設定、電動ユニバーサルコンデンサをＤＩＣ位置に設定）とが関連付けて制御される。その後に、蛍光観察に設定されると、図５に示されるように顕微鏡１０の通常被調整部材の制御内容（電動視野絞り１６、電動開口絞り１７及び電動ＮＤフィルタ１８は透過照明用であるので制御されず、ランプ１９は消灯される）と検鏡方法切換え用の被調整部材（電動フィルタブロックを任意フィルタに設定、電動エピシャッタを閉或いは開に設定、電動アナライザを光路中に設定、電動ポラライザを光路中に設定、電動ユニバーサルコンデンサを中間位置に設定）とが関連付けて制御される。
【００３８】
このように、ＤＩＣ観察から蛍光観察に検鏡方法を切り換えると、電子カメラ２の撮像条件は、ＤＩＣ観察では顕微鏡１０のランプ１９と関連付けられ画像の表示条件が制御され、蛍光観察では顕微鏡１０の電動エピシャッタと関連付けられ画像の表示条件が制御される。すなわち、ＤＩＣ観察では、顕微鏡１０のランプの光量を変化させて画像の表示条件である明るさを調整するものであるから、図４から明らかなように、明るさ設定用アイコンで示した制御対象である顕微鏡１０の被調整部材と電子カメラ２の撮像条件とが関連付けられて制御される。同様に、蛍光観察では、顕微鏡１０の電動エピシャッタの開閉時間の制御（励起光を照射させる時間制御）により蛍光観察の画像の表示条件が決定されるので、顕微鏡１０の電動エピシャッタと、上述した明るさ設定用アイコンで示した電子カメラ２の制御対象とが関連付けて制御される。
【００３９】
そのため、検鏡方法変更後に表示画面に表示される画像の明るさやコントラストが急激に変化することが無くなるので、ユーザが明るさやコントラストの調整を行っている間に発光量が減少してしまうというような問題を回避し、スムーズに観察を行うことができる。
なお、本実施形態では、画像の表示条件として、大きさ、コントラスト、明るさを設定したが、他に色合い、焦点深度の深さなどを設定しても良いし、検鏡方法についても偏光観察などの検鏡方法を設定しても良い。
【００４０】
また、本実施形態で示したＧＵＩの表示画面は実施の一例であり、アイコンの配置および種類は、この例に限定されない。例えば、画像表示領域４０の外側に各種アイコンを表示しても良いし、ユーザにより何れかの検鏡方法が設定された場合、その検鏡方法の詳細を設定するための別のアイコンを新しく表示するようにしても良い。
【００４１】
さらに、図４および図５で説明した制御内容は実施の一例であり、顕微鏡システムの構成や検鏡方法などに応じて変更されるものとする。
【００４２】
【発明の効果】
以上説明したように、本発明によれば、顕微鏡と撮像装置とを関連付けて制御を行うことにより、表示装置に表示される画像の最適化をはかることが可能になり、表示装置を介した試料の観察の精度を向上させることができる。
【図面の簡単な説明】
【図１】顕微鏡システムの構成を示すブロック図である。
【図２】モニタに表示されるＧＵＩの表示画面の例を示す図である。
【図３】顕微鏡システムの動作を示すフローチャートである。
【図４】ユーザにより表示条件の設定に係る操作が行われた場合に用いられるＬＵＴの例である。
【図５】ユーザにより検鏡方法の設定に係る操作が行われた場合に用いられるＬＵＴの例である。
【符号の説明】
１  顕微鏡システム
２  電子カメラ
１０  顕微鏡
１１  顕微鏡制御部
１２  電動ＸＹステージ
１３  電動Ｚ上下動
１４  電動レボルバ
１５  電動中間変倍機構
１６  電動視野絞り
１７  電動開口絞り
１８  電動ＮＤフィルタ
１９  ランプ
２０  電動検鏡方法切換部
３０  画像処理装置
３１  画像処理装置制御部
３２  マウス
３３  キーボード
３４  モニタ
３５  インタフェース部
３６  表示画像生成部
４０  画像表示領域
４１〜４７，６０〜６４  アイコン
【図１】
0003804527.tif 000002
【図２】
0003804527.tif 000003
【図３】
0003804527.tif 000004
【図４】
0003804527.tif 000005
【図５】
0003804527.tif 000006